(57)【要約】【課題】  印刷完了の通知の表示に関して、印刷量の少ない場合やユーザがコンピュータの近くにいる場合等においても、ユーザにとって利便性の高いネットワークプリンタシステム等を提供する。【解決手段】  まず、印刷が完了した場合にプリンタから受信した印刷完了通知を表示部１０１が表示する。他方で、あらかじめ定められた表示時間又はユーザが設定部１０４で設定した表示時間や表示有無で、印刷が完了したドキュメントデータに関連するパラメータをパラメータ保存部１０３から検索する。検索された表示時間を計測部１０２により計測し、その時間が経過しタイムアウトとなると制御部１０７は印刷完了の表示を中止する。また、設定部１０４で表示無しが設定されたときは、制御部１０７は印刷完了の表示を行わない。【選択図】  図２
2007026186.tif 000002
【特許請求の範囲】
【請求項１】
ネットワークを介してプリンタ及びホスト端末装置に接続されるサーバ装置において、
印刷が完了した場合に印刷完了通知を受信し前記印刷完了通知を表示する表示手段と、
前記印刷完了通知の表示に必要なパラメータを保存する保存手段と、
前記パラメータ保存手段により保存されている前記印刷完了通知の表示時間を計測する計測手段と、
表示機能の諸項目についてユーザが設定できる設定手段と、
前記印刷完了通知の表示を中止する制御手段とを有することを特徴とするサーバ装置。
【請求項２】
前記表示手段は、ダイアログ表示することを特徴とする請求項１に記載のサーバ装置。
【請求項３】
前記表示手段は、印刷指示で指定された文書名及び印刷指示で指定されたプリンタ名のうち少なくとも１つを表示することを特徴とする請求項１又は２に記載のサーバ装置。
【請求項４】
前記保存手段は、前記文書名及び前記プリンタ名のうち少なくとも１つを保存することを特徴とする請求項１から３のいずれか１項に記載のサーバ装置。
【請求項５】
前記保存手段は、前記印刷完了通知の表示時間をあらかじめ保存することを特徴とする請求項１から４のいずれか１項に記載のサーバ装置。
【請求項６】
前記設定手段は、前記印刷完了通知の表示有無及び前記表示時間のうち少なくとも１つをユーザが設定できることを特徴とする請求項１から５のいずれか１項に記載のサーバ装置。
【請求項７】
前記設定手段は、前記表示有無及び前記表示時間のうち少なくとも１つを印刷指示ごとにユーザが設定できることを特徴とする請求項１から６のいずれか１項に記載のサーバ装置。
【請求項８】
ネットワークを介してプリンタ及びホスト端末装置に接続されるサーバ装置での印刷完了通知方法において、
印刷が完了した場合に印刷完了通知を受信し前記印刷完了通知をダイアログ表示する表示工程と、
前記印刷完了通知の表示に必要なパラメータを保存する保存工程と、
前記パラメータ保存工程により保存されている前記印刷完了通知の表示時間を計測する計測工程と、
表示機能の諸項目についてユーザが設定できる設定工程と、
前記印刷完了通知の表示を中止する制御工程とを有することを特徴とする印刷完了通知方法。
【請求項９】
前記表示工程は、ダイアログ表示することを特徴とする請求項８に記載の印刷完了通知方法。
【請求項１０】
前記表示工程は、印刷指示で指定された文書名及び印刷指示で指定されたプリンタ名のうち少なくとも１つを表示することを特徴とする請求項８又は９に記載の印刷完了通知方法。
【請求項１１】
前記保存工程は、前記文書名及び前記プリンタ名のうち少なくとも１つを保存することを特徴とする請求項８から１０のいずれか１項に記載の印刷完了通知方法。
【請求項１２】
前記保存工程は、前記印刷完了通知の表示時間をあらかじめ保存することを特徴とする請求項８から１１のいずれか１項に記載の印刷完了通知方法。
【請求項１３】
前記設定工程は、前記印刷完了通知の表示有無及び前記表示時間のうち少なくとも１つをユーザが設定できることを特徴とする請求項８から１２のいずれか１項に記載の印刷完了通知方法。
【請求項１４】
前記設定工程は、前記表示有無及び前記表示時間のうち少なくとも１つを印刷指示ごとにユーザが設定できることを特徴とする請求項８から１３のいずれか１項に記載の印刷完了通知方法。
【請求項１５】
請求項８から１４のいずれか１項に記載の印刷完了通知方法をコンピュータに実行させるためのプログラム。
【請求項１６】
請求項１５に記載のプログラムを記録したコンピュータ読み取り可能な記録媒体。
【請求項１７】
ネットワークを介してプリンタ及びサーバ端末に接続されるホスト端末装置において、
請求項８から１４のいずれか１項に記載の印刷完了通知方法を実行することを特徴とするホスト端末装置。
【請求項１８】
請求項１から７のいずれか１項に記載のサーバ装置と、
請求項１７に記載のホスト端末装置と、
少なくとも１つのプリンタとを有することを特徴とするネットワークプリンタシステム。
【発明の詳細な説明】
【技術分野】
【０００１】
本発明は、サーバ装置、印刷完了通知方法、プログラム、コンピュータ読み取り可能な記録媒体、ホスト端末装置及びネットワークプリンタシステムに関し、特に印刷完了を知らせる表示機能を有するネットワークプリンタシステム等に関するものである。
【背景技術】
【０００２】
従来から、ユーザがパーソナルコンピュータより複数のアプリケーションからプリンタを設定して行う印刷指示に対して、指示したユーザのコンピュータ上に印刷完了を知らせる機能は知られている。これは、印刷完了を知らせるダイアログが印刷の指示の数分間表示され、ユーザがコンピュータ上で確認ボタンを押すことにより、表示されたダイアログは消滅するというものである。
【０００３】
そもそも、印刷は多量ページにわたる場合も多く、また、ユーザは常にコンピュータの近くにいるわけではない。したがって、どのアプリケーションデータの印刷完了をしたのかをコンピュータ上に知らせてくれると、印刷物を取りに行くタイミングもわかるし、印刷表示をしておいて取り忘れることもなく、大変便利である。なお、印刷完了を知らせるダイアログを表示するかどうかは、プリンタサーバごとに設定できるものもある。
【０００４】
上述の基本的な機能に加えて、特許文献１では、印刷要求を行ったユーザが端末装置から離れた場所にいても、印刷が完了したかどうかをユーザに通知できる機能を備えた印刷装置が開示されている。同文献の発明は、ユーザが端末装置のモニタ画面を見なければ印刷の完了を確認できないことに鑑みてなされたものであり、ネットワーク接続された印刷装置に電話による印刷結果通知機能を持たせることにより、ユーザが端末の前にいなくても電話のある環境であれば印刷完了を知ることが可能とするものである。
【特許文献１】特開２００１−１８４１８３号公報
【発明の開示】
【発明が解決しようとする課題】
【０００５】
特許文献１の発明は、電話のある環境であれば印刷完了を知ることができるという点では非常に便利である。しかしながら、印刷ページ数が少量である場合やユーザがコンピュータの傍にいる場合には、電話による印刷結果通知機能よりも、むしろ別の機能が必要なことがある。
【０００６】
つまり、少量の印刷ページ数の場合に、ユーザが確認するまでの間、印刷指示の数だけの印刷完了を知らせるダイアログが表示し続けるのは、ユーザにとって不必要な場合が多く、しかも、複数のダイアログの確認ボタンを押してダイアログ表示を消すという無駄な時間をかけることになる。また、ユーザが印刷の指示をするため、いつコンピュータを離れるのか、どの印刷物をいつ取りに行けるのかといったことについて、ユーザ自身が一番わかっている。以上から、印刷ページ数が少量の場合等には、あらかじめ印刷完了の表示時間を定めてその時間の経過後に表示を消す機能や、印刷完了の表示有無や表示する時間について、印刷指示ごと設定できる機能を設ける等をして、ユーザの利便性を向上させることも必要である。
【０００７】
そこで、本発明は、印刷完了の通知の表示に関して、表示時間を設けてその時間経過後に表示を消去し、また、その表示有無や表示時間についてユーザ所望の設定を可能とすることにより、印刷量の少ない場合やユーザがコンピュータの近くにいる場合等においても、ユーザにとって利便性の高いネットワークプリンタシステム等を提供することを目的とする。
【課題を解決するための手段】
【０００８】
かかる目的を達成するために、本発明は、ネットワークを介してプリンタ及びホスト端末装置に接続されるサーバ装置において、印刷が完了した場合に印刷完了通知を受信し前記印刷完了通知を表示する表示手段と、前記印刷完了通知の表示に必要なパラメータを保存する保存手段と、前記パラメータ保存手段により保存されている前記印刷完了通知の表示時間を計測する計測手段と、表示機能の諸項目についてユーザが設定できる設定手段と、前記印刷完了通知の表示を中止する制御手段とを有することを特徴とする。
【０００９】
一例としては、印刷完了通知の表示時間があらかじめ定められており、その一定時間表示され、その時間経過後に表示を消去することができる。
【００１０】
また別の例としては、該表示時間や表示有無をユーザが設定でき、一定時間表示させ、時間経過後に表示を消去することや、表示自体をしないとすることができる。
【００１１】
まず、印刷が完了した場合にプリンタから受信した印刷完了通知を表示手段によって表示する。他方で、あらかじめ定められた表示時間又はユーザが設定手段により設定した表示時間や表示有無で、印刷が完了したドキュメントデータに関連するパラメータを保存手段から検索する。検索された表示時間を計測手段により計測し、その時間が経過しタイムアウトとなると制御手段によって表示を中止する。また、設定手段で表示無しが設定されたときは、制御手段は表示を行わない。
【発明の効果】
【００１２】
上記の発明により、印刷完了通知の表示について、表示時間を設けて時間経過後に自動的に表示を中止し、また、表示有無や表示時間に関するユーザの設定を可能とすることで、印刷量の少ない場合やユーザがコンピュータの近くにいる場合等においても、ユーザにとって利便性の高いネットワークプリンタシステム等が実現される。
【発明を実施するための最良の形態】
【００１３】
図を参照しながら、本発明の実施形態におけるサーバ装置、印刷完了通知方法及びネットワークプリンタシステム等について説明する。
【００１４】
（実施形態１）
本実施形態は、印刷完了通知の表示時間があらかじめ定められており、その時間が経過すると印刷完了の表示が消滅するというものである。
【００１５】
図１は、本実施形態のネットワークプリントシステムのブロック図である。サーバ１、ホスト端末２、ホスト端末３、カラープリンタ４、モノクロプリンタ５、モノクロプリンタ６、カラープリンタ７、カラープリンタ８及びＬＡＮ９から構成され、これらは、ＬＡＮ９によりネットワークで接続されている。
【００１６】
サーバ１は、ホスト端末やプリンタの要求を受け、通信処理や印刷処理を行う。ホスト端末２及び３は、ＬＡＮ９を介し、カラープリンタ４からカラープリンタ８のいずれかのネットワークプリンタから出力するよう印刷指示を出すことができる。
【００１７】
図２は、本実施形態における、サーバ又はホスト端末とネットワークプリンタの構成を示すブロック図である。サーバ又はホスト端末１１１は、表示部１０１、計測部１０２、パラメータ保存部１０３、設定部１０４、印刷指示部１０５、完了通知受信部１０６及び制御部１０７から構成される。一方、ネットワークプリンタ１１２は、印刷データ受信部１０８、印刷データ印刷部１０９及びプリンタ状態送信部１１０からなる。
【００１８】
表示部１０１は、完了通知受信部１０６がネットワークプリンタ１１２から印刷完了通知を受信したら、制御部１０７から検索されたプリンタ名やドキュメント名等の必要な情報を表示する。計測部１０２は、制御部１０７によって検索されたあらかじめ定められた表示時間を、例えばタイマーで計測する。パラメータ保存部１０３は、あらかじめ決まっている印刷完了の表示時間や、印刷文書、指定プリンタ等の印刷指示部１０５による印刷指示の内容を保存する。設定部１０４では、表示に関する項目をユーザが設定し、設定された内容はパラメータ保存部１０３で保存される。印刷指示部１０５は、印刷文書、印刷枚数等の印刷条件及びプリンタ指定といった印刷の指示をネットワークプリンタ１１２中の印刷データ受信部１０８へ送る。完了通知受信部１０６は、ネットワークプリンタ１１２のプリンタ状態送信部１１０から印刷処理の結果を受信する。制御部１０７は、サーバ又はホスト端末１１３の各部の動作を制御する。特に、パラメータ保存部１０３にあるあらかじめ決まっている表示時間や設定部１０４で設定された表示時間を計測部１０２の計測結果に基づいて、表示の消滅タイミングを表示部へ指示する。また、設定部１０４で設定された表示有無に基づいて、表示の中止を表示部へ指示を行う。
【００１９】
印刷データ受信部１０８は、印刷指示部１０５から印刷条件、プリンタ指定等の指示を受け取り、これらのデータを印刷データ印刷部１０９へ送る。印刷データ印刷部１０９は、印刷データ受信部１０８から受け取ったデータに基づき印刷処理を行い、その結果をプリンタ状態送信部１１０へ送り出す。プリンタ状態送信部１１０は、印刷データ印刷部１０９から印刷結果を受け取り、印刷が完了したときは完了通知受信部１０６へ印刷完了通知を送信する。
【００２０】
図３は、本実施形態において表示部１０１に表示される印刷完了通知の例である。
【００２１】
表示内容は、印刷完了番号、出力プリンタ名、ドキュメント名、確認ボタンとなっている。同図では、印刷指示は（３）、（１）、（２）で、印刷完了は（１）、（２）、（３）の順番で出されている。プリンタはネットワークで接続されており、複数のユーザ端末から印刷データを受け付けているため、当然ながら印刷完了通知が印刷指示の順番で受信するとは限らない。この例では、印刷完了の番号の順番で印刷完了を受信している。つまり、印刷指示の順番として、ドキュメント名γ、ドキュメント名α、そしてドキュメントβの順であっても、印刷完了の順番が、ドキュメント名α、ドキュメントβ、ドキュメントγなので、その順番で印刷完了通知を受信したものとしている。
【００２２】
それぞれの完了通知＜印刷完了＞（１）、＜印刷完了＞（２）、＜印刷完了＞（３）が表示された瞬間に、あらかじめ定められている表示時間のカウントが計測部１０２によって開始され、タイムアウトが測定された段階で表示が消滅される。図３の上図では、それぞれのドキュメントに対して印刷指示を出し、ドキュメント名α、β、γの順で印刷が完了し、ダイアログ表示されている。下図では、最初に表示された＜印刷完了＞（１）が、タイムアウトによって表示が自動的に消えたため、＜印刷完了＞（２）及び＜印刷完了＞（３）の表示が残っている。なお、表示時間を経過すると自動的に表示が消えるようになっているが、確認ボタンを押すことで表示を消すことももちろん可能である。
【００２３】
図４は、図３で説明した、本実施形態における印刷完了通知の表示中止動作の制御を示すフローチャートである。
【００２４】
まず、印刷指示部１０５から印刷指示を送信し（ステップＳ４０１）、出力プリンタ名やドキュメント名等のダイアログ表示に必要なパラメータをパラメータ保存部１０３へ保存する（ステップＳ４０２）。その後、プリンタ状態送信部１１０から印刷完了の通知を受信する（ステップＳ４０３）とともに、パラメータ保存部１０３から完了した印刷指示に対応するダイアログ表示に必要なパラメータを検索する（ステップＳ４０４）。次に、その検索したパラメータに基づいて、印刷の完了を表示部１０１に表示する（ステップＳ４０５）。そして、印刷完了の表示と同時に計測部１０２においてタイマーを開始し（ステップＳ４０６）、表示時間の計測を行う（ステップＳ４０７）。表示時間が経過しタイムアウトとなれば（ステップＳ４０８／ＹＥＳ）、ダイアログ表示を中止し表示を消滅させる（ステップＳ４０９）。まだ表示時間が経過せずタイムアウトとなっていなければ（ステップＳ４０８／ＮＯ）、表示時間の計測を継続する（ステップＳ４０７）。
【００２５】
（実施形態２）
本実施形態は、印刷完了通知の表示時間を印刷指示ごとにユーザが設定でき、その時間が経過すると印刷完了の表示が消滅するというものである。
【００２６】
本実施形態のネットワークプリントシステム全体のブロック図や、サーバ又はホスト端末とネットワークプリンタの構成を示すブロック図については、実施形態１における図１及び図２と同様であるため、説明は省略する。なお、図２について補足すると、設定部１０４では、印刷完了の表示に関する項目をユーザが設定できるが、ここでは、出力プリンタ名やドキュメント名に加えて、印刷指示ごとに表示時間を設定でき、設定された内容はパラメータ保存部１０３で保存されることになる。
【００２７】
図５は、本実施形態における表示部１０１に表示される印刷完了通知の例である。
【００２８】
表示内容や印刷完了の順番等については図３と同様である。つまり、印刷指示の順番は、ドキュメント名γ、ドキュメント名α、ドキュメントβであったが、印刷完了の順番が、ドキュメント名α、ドキュメントβ、ドキュメントγであったため、その順番で印刷完了通知を受信したものとしている。
【００２９】
印刷条件、出力プリンタといった印刷指示を出すにあたり、表示時間を設定しておく。そして、完了通知＜印刷完了＞（１）、＜印刷完了＞（２）、＜印刷完了＞（３）がそれぞれ表示された瞬間に、それぞれ設定された表示時間のカウントが計測部１０２によって開始される。つまり、＜印刷完了＞（１）が表示された瞬間から設定された例えば５分を計測し始め、続いて＜印刷完了＞（２）が表示された瞬間から設定された例えば３分を計測開始し、続いて＜印刷完了＞（３）が表示された瞬間から設定された例えば３０秒を計測する。そうして、タイムアウトが測定された段階でその表示が消滅される。図３の上図では、ドキュメント名α、β、γの順で印刷が完了し、ダイアログ表示されている。下図では、最後に表示された＜印刷完了＞（３）の表示時間が一番先にタイムアウトしたために表示が自動的に消え、＜印刷完了＞（１）及び＜印刷完了＞（２）の表示が残っている。なお、表示時間を経過すると自動的に表示が消えるようになっているが、確認ボタンを押すことで表示を消すことももちろん可能である。
【００３０】
図６は、図５で説明した、本実施形態における印刷完了通知の表示中止動作の制御を示すフローチャートである。
【００３１】
実施形態１における制御との相違点は、ダイアログ表示時間の設定の有無にあり、本実施形態では、印刷指示を送信する段階とパラメータの保存及び検索の段階において表示時間の設定が反映されている。
【００３２】
すなわち、まずは、設定部１０４で設定されたダイアログ表示時間及び印刷指示を印刷指示部１０５から送信し（ステップＳ６０１）、出力プリンタ名やドキュメント名等のダイアログ表示に必要なパラメータやダイアログ表示時間をパラメータ保存部１０３へ保存する（ステップＳ６０２）。その後、プリンタ状態送信部１１０から印刷完了の通知を受信する（ステップＳ６０３）とともに、パラメータ保存部１０３から完了した印刷指示に対応するダイアログ表示に必要なパラメータ及び設定された表示時間を検索する（ステップＳ６０４）。次に、その検索したパラメータに基づいて、印刷の完了を表示部１０１に表示する（ステップＳ６０５）。そして、印刷完了の表示と同時に計測部１０２においてタイマーを開始し（ステップＳ６０６）、表示時間の計測を行う（ステップＳ６０７）。表示時間が経過しタイムアウトとなれば（ステップＳ６０８／ＹＥＳ）、ダイアログ表示を中止し表示を消滅させる（ステップＳ６０９）。まだ表示時間が経過せずタイムアウトとなっていなければ（ステップＳ６０８／ＮＯ）、表示時間の計測を継続する（ステップＳ６０７）。
【００３３】
（実施形態３）
本実施形態は、印刷完了通知の表示時間及び表示有無について印刷指示ごとにユーザが設定でき、表示有りで表示時間を設定した場合はその時間が経過すると印刷完了の表示が消滅し、表示無しを設定した場合は印刷完了の表示を中止するというものである。
【００３４】
本実施形態のネットワークプリントシステム全体のブロック図や、サーバ又はホスト端末とネットワークプリンタの構成を示すブロック図については、実施形態１における図１及び図２と同じであるため、実施形態２と同様に説明は省略する。なお、図２について補足すると、設定部１０４では、印刷完了の表示に関する項目をユーザが設定できるが、ここでは、出力プリンタ名やドキュメント名に加えて、印刷指示ごとに表示有無及び表示時間を設定でき、設定された内容はパラメータ保存部１０３で保存されることになる。
【００３５】
図７は、本実施形態における表示部１０１に表示される印刷完了通知の例である。
【００３６】
表示内容や印刷完了の順番等については図３と同様である。つまり、印刷指示の順番は、ドキュメント名γ、ドキュメント名α、ドキュメントβであったが、印刷完了の順番が、ドキュメント名α、ドキュメントβ、ドキュメントγであったため、その順番で印刷完了通知を受信したものとしている。
【００３７】
印刷条件、出力プリンタといった印刷指示を出すにあたり、表示有無及び表示時間を設定しておく。そして、印刷完了通知を表示するに際して、表示有りと設定されている印刷指示のみ表示し、設定された表示時間のカウントは表示の瞬間から計測部１０２により開始される。図７では、完了通知＜印刷完了＞（１）及び＜印刷完了＞（３）について表示無しの設定がされていたため、上図のように印刷完了の表示は＜印刷完了＞（２）のみとなり、そして、設定された表示時間のタイムアウト後に下図のように表示が消滅される。なお、表示されているものについて、表示時間を経過すると自動的に表示が消えるようになっているが、確認ボタンを押すことで表示を消すことももちろん可能である。
【００３８】
図８は、図７で説明した、本実施形態における印刷完了通知の表示中止動作の制御を示すフローチャートである。
【００３９】
実施形態２の制御との相違点は、表示有無の設定があるかないかであり、本実施形態では、印刷指示を送信する段階とパラメータの保存及び検索の段階において表示有無の設定が反映されている。
【００４０】
すなわち、まずは、設定部１０４で設定された表示有無、ダイアログ表示時間及び印刷指示を印刷指示部１０５から送信し（ステップＳ８０１）、出力プリンタ名やドキュメント名等のダイアログ表示に必要なパラメータ、表示有無及びダイアログ表示時間をパラメータ保存部１０３へ保存する（ステップＳ８０２）。その後、プリンタ状態送信部１１０から印刷完了の通知を受信する（ステップＳ８０３）とともに、パラメータ保存部１０３から完了した印刷指示に対応するダイアログ表示に必要なパラメータ、設定された表示有無及び設定された表示時間を検索する（ステップＳ８０４）。次に、その検索したパラメータが表示有りの場合（ステップＳ８０５／ＹＥＳ）、その印刷指示に対応するパラメータに基づいて印刷完了を表示部１０１に表示する（ステップＳ８０６）。表示無しの場合（ステップＳ８０５／ＮＯ）は、ダイアログ表示が中止される（ステップＳ８１０）。続いて、印刷完了の表示と同時に計測部１０２においてタイマーを開始し（ステップＳ８０７）、表示時間の計測を行う（ステップＳ８０８）。表示時間が経過しタイムアウトとなれば（ステップＳ８０９／ＹＥＳ）、ダイアログ表示を中止し表示を消滅させる（ステップＳ８１０）。まだ表示時間が経過せずタイムアウトとなっていなければ（ステップＳ８０９／ＮＯ）、表示時間の計測を継続する（ステップＳ８０８）。
【００４１】
上記発明は、以下の実施態様を含む。
【００４２】
（第１の実施態様）
ネットワークを介してプリンタ及びホスト端末装置に接続されるサーバ装置において、印刷が完了した場合に印刷完了通知を受信し前記印刷完了通知を表示する表示手段と、前記印刷完了通知の表示に必要なパラメータを保存する保存手段と、前記パラメータ保存手段により保存されている前記印刷完了通知の表示時間を計測する計測手段と、表示機能の諸項目についてユーザが設定できる設定手段と、前記印刷完了通知の表示を中止する制御手段とを有することを特徴とするサーバ装置である。
【００４３】
（第２の実施態様）
第１の実施態様のサーバ装置において、前記表示手段は、ダイアログ表示することを特徴とするサーバ装置である。
【００４４】
（第３の実施態様）
第１又は第２の実施態様のサーバ装置において、前記表示手段は、印刷指示で指定された文書名及び印刷指示で指定されたプリンタ名のうち少なくとも１つを表示することを特徴とするサーバ装置である。
【００４５】
（第４の実施態様）
第１から第３のいずれか１つの実施態様のサーバ装置において、前記保存手段は、前記文書名及び前記プリンタ名のうち少なくとも１つを保存することを特徴とするサーバ装置である。
【００４６】
（第５の実施態様）
第１から第４のいずれか１つの実施態様のサーバ装置において、前記保存手段は、前記印刷完了通知の表示時間をあらかじめ保存することを特徴とするサーバ装置である。
【００４７】
（第６の実施態様）
第１から第５のいずれか１つの実施態様のサーバ装置において、前記設定手段は、前記印刷完了通知の表示有無及び前記表示時間のうち少なくとも１つをユーザが設定できることを特徴とするサーバ装置である。
【００４８】
（第７の実施態様）
第１から第６のいずれか１つの実施態様のサーバ装置において、前記設定手段は、前記表示有無及び前記表示時間のうち少なくとも１つを印刷指示ごとにユーザが設定できることを特徴とするサーバ装置である。
【００４９】
（第８の実施態様）
ネットワークを介してプリンタ及びホスト端末装置に接続されるサーバ装置での印刷完了通知方法において、印刷が完了した場合に印刷完了通知を受信し前記印刷完了通知をダイアログ表示する表示工程と、前記印刷完了通知の表示に必要なパラメータを保存する保存工程と、前記パラメータ保存工程により保存されている前記印刷完了通知の表示時間を計測する計測工程と、表示機能の諸項目についてユーザが設定できる設定工程と、前記印刷完了通知の表示を中止する制御工程とを有することを特徴とする印刷完了通知方法である。
【００５０】
（第９の実施態様）
第８の実施態様の印刷完了通知方法において、前記表示工程は、ダイアログ表示することを特徴とする印刷完了通知方法である。
【００５１】
（第１０の実施態様）
第８又は第９の実施態様の印刷完了通知方法において、前記表示工程は、印刷指示で指定された文書名及び印刷指示で指定されたプリンタ名のうち少なくとも１つを表示することを特徴とする印刷完了通知方法である。
【００５２】
（第１１の実施態様）
第８から第１０のいずれか１つの実施態様の印刷完了通知方法において、前記保存工程は、前記文書名及び前記プリンタ名のうち少なくとも１つを保存することを特徴とする印刷完了通知方法である。
【００５３】
（第１２の実施態様）
第８から第１１のいずれか１つの実施態様の印刷完了通知方法において、前記保存工程は、前記印刷完了通知の表示時間をあらかじめ保存することを特徴とする印刷完了通知方法である。
【００５４】
（第１３の実施態様）
第８から第１２のいずれか１つの実施態様の印刷完了通知方法において、前記設定工程は、前記印刷完了通知の表示有無及び前記表示時間のうち少なくとも１つをユーザが設定できることを特徴とする印刷完了通知方法である。
【００５５】
（第１４の実施態様）
第８から第１３のいずれか１つの実施態様の印刷完了通知方法において、前記設定工程は、前記表示有無及び前記表示時間のうち少なくとも１つを印刷指示ごとにユーザが設定できることを特徴とする印刷完了通知方法である。
【００５６】
（第１５の実施態様）
第８から第１４のいずれか１つの実施態様の印刷完了通知方法をコンピュータに実行させるためのプログラムである。
【００５７】
（第１６の実施態様）
第１５の実施態様のプログラムを記録したコンピュータ読み取り可能な記録媒体である。
【００５８】
（第１７の実施態様）
ネットワークを介してプリンタ及びサーバ端末に接続されるホスト端末装置において、第８から第１４のいずれか１つの実施態様の印刷完了通知方法を実行することを特徴とするホスト端末装置である。
【００５９】
（第１８の実施態様）
第１から第７のいずれか１つの実施態様のサーバ装置と、第１７の実施態様のホスト端末装置と、少なくとも１つのプリンタとを有することを特徴とするネットワークプリンタシステムである。
【００６０】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【図面の簡単な説明】
【００６１】
【図１】本発明の実施形態に係るネットワークプリントシステムのブロック図である。
【図２】本発明の実施形態に係るサーバ又はホスト端末とネットワークプリンタの構成を示すブロック図である。
【図３】本発明の実施形態の係る印刷完了通知の表示例を示す説明図である。
【図４】本発明の実施形態に係る印刷完了通知の表示中止動作の制御を示すフローチャートである。
【図５】本発明の実施形態の係る印刷完了通知の表示例を示す説明図である。
【図６】本発明の実施形態に係る印刷完了通知の表示中止動作の制御を示すフローチャートである。
【図７】本発明の実施形態の係る印刷完了通知の表示例を示す説明図である。
【図８】本発明の実施形態に係る印刷完了通知の表示中止動作の制御を示すフローチャートである。
【符号の説明】
【００６２】
１    サーバ
２，３    ホスト端末
４，７，８    カラープリンタ
５，６    モノクロプリンタ
９    ＬＡＮ
１０１    表示部
１０２    計測部
１０３    パラメータ保存部
１０４    設定部
１０５    印刷指示部
１０６    完了通知受信部
１０７    制御部
１０８    印刷データ受信部
１０９    印刷データ印刷部
１１０    プリンタ状態送信部
１１１    サーバ又はホスト端末
１１２    ネットワークプリンタ
【図１】
2007026186.tif 000003
【図２】
2007026186.tif 000004
【図３】
2007026186.tif 000005
【図４】
2007026186.tif 000006
【図５】
2007026186.tif 000007
【図６】
2007026186.tif 000008
【図７】
2007026186.tif 000009
【図８】
2007026186.tif 000010